(57)【要約】【課題】液圧制御を安定して行うことができるソレノイドバルブを提供する。【解決手段】弁体２２を移動させる可動鉄心４と、可動鉄心４の外周に配置されるソレノイド成形体３１と、可動鉄心４およびソレノイド成形体３１を収容する有底のソレノイドケース３０と、内側の空間Ｓ２内に可動鉄心４を収容する筒体３２と、を具備し、被取付部材に水平方向に取付けられる液浸形のソレノイドバルブ１であって、筒体３２の一端の内側かつ下方には、ソレノイドケース３０の底部３０ｍの凸部３７が嵌り込み、堰が形成されている。【選択図】図１
2019152271.tif 000002
【特許請求の範囲】
【請求項１】
弁体を移動させる可動鉄心と、
前記可動鉄心の外周に配置されるソレノイド成形体と、
前記可動鉄心および前記ソレノイド成形体を収容する有底のソレノイドケースと、
内側の空間内に前記可動鉄心を収容する筒体と、を具備し、
被取付部材に水平方向に取付けられる液浸形のソレノイドバルブであって、
前記筒体の一端の内側かつ下方には、前記ソレノイドケースの底部の凸部が嵌り込み、堰が形成されていることを特徴とするソレノイドバルブ。
【請求項２】
前記堰は、前記筒体の内周面と前記凸部の円弧状側面とが当接していることを特徴とする請求項１に記載のソレノイドバルブ。
【請求項３】
前記凸部は前記ソレノイドケースをプレス加工により半月状に形成されたものであることを特徴とする請求項１または２に記載のソレノイドバルブ。
【請求項４】
前記ソレノイドケースの底部には、前記凸部よりも上方側において前記弁体とは反対方向に凹む凹部が形成されていることを特徴とする請求項１ないし３のいずれかに記載のソレノイドバルブ。
【請求項５】
前記筒体の一端の上方側には径方向に連通する連通部が形成されていることを特徴とする請求項１ないし４のいずれかに記載のソレノイドバルブ。
【請求項６】
前記ソレノイドケースは軸方向に見て底部側が中央側よりも小径の段部となっていることを特徴とする請求項１ないし５のいずれかに記載のソレノイドバルブ。
【請求項７】
前記筒体は固定鉄心であって、板厚が周方向に薄く構成される薄肉部を有する筒状であり、
前記固定鉄心は軸方向において前記ソレノイドケースの底部とは離間していることを特徴とする請求項１ないし６のいずれかに記載のソレノイドバルブ。
【発明の詳細な説明】
【技術分野】
【０００１】
本発明は、ソレノイドバルブ、特に液圧回路の液圧制御に用いられる液浸形のソレノイドバルブに関する。
【背景技術】
【０００２】
従来の油圧（液圧）制御用のソレノイドバルブとしては、スリーブに収納されたスプールを有するバルブ部と、スプールを軸方向に駆動させるプランジャ（可動鉄心）およびコイルが樹脂により覆われたソレノイド成形体を収容するソレノイドケースを有するソレノイド部と、を具備し、ポンプやアキュムレータの圧力源と負荷との間に配置され、スプールを駆動することにより圧力や流量が調整された制御油を負荷に供給できるようになっている。
【０００３】
ところで、スプールはその駆動ストロークが比較的大きいため、ソレノイド部を駆動する場合、プランジャを収容する収容部材の内部空間の作動油が抵抗となってプランジャの迅速な移動を阻害する虞がある。そのため、従来の油浸形のソレノイドバルブにおいては、外部と連通する開口（以下、呼吸孔とも言う。）を設けるとともに、収容部材の内部空間と開口とを連通させ、収容部材の内部の作動油を外部と呼吸させることで、プランジャの移動方向の作動油を排出して作動油による抵抗に対処する必要性がある。
【０００４】
特許文献１に開示されている油浸形のソレノイドバルブは、スプール弁部（バルブ部）とソレノイド部と、から主に構成され、ソレノイド部は、軸方向に貫通する連通孔を有するプランジャと、プランジャを収容する円筒状のステータコア（収容部材）と、ステータコアの外周に設けられコイルを有するソレノイド成形体と、ステータコアおよびソレノイド成形体を収容し磁気回路を形成するヨーク（ソレノイドケース）と、を具備している。ヨークは、ソレノイド成形体を収容するヨーク筒部と、ヨーク筒部の後方側でステータコアが嵌着されるリングコア筒部と、から構成される二段の段差筒型構造を成し、リングコア筒部の底部には円形状の凹部が設けられ、リングコア筒部の内壁には底部に設けられる凹部と連通するように放射状に延びる少なくとも一条の内部呼吸経路が形成されている。また、ヨーク筒部の内壁には、リングコア筒部の内部呼吸経路と連続し、ヨークの外部に開放する呼吸孔を有する外部呼吸経路が形成されている。これによれば、円筒状のステータコアに収容されるプランジャの前後に構成される空間は、プランジャの連通孔、内部呼吸経路および外部呼吸経路を介して外部と呼吸可能に連通しており、ステータコアの内部におけるプランジャの移動に合わせて作動油をヨークの外部と呼吸させることで、正確かつ迅速に油圧制御を行うことができる。
【先行技術文献】
【特許文献】
【０００５】
【特許文献１】特開２００７−１５４９４７号公報（第４頁、第１図）
【発明の概要】
【発明が解決しようとする課題】
【０００６】
しかしながら、特許文献１のソレノイドバルブにおいては、油圧制御ユニット（被取付部材）に対して水平方向に取付けられる場合、油圧制御ユニット内の作動油の油面低下時、もしくは油面が一時的に傾くことにより、ステータコアの後方側（リングコア筒部側）から作動油が排出されてしまい、ステータコアの内部における作動油の油面が低下し、プランジャの作動性が変化して油圧制御が不安定になる虞があった。
【０００７】
本発明は、このような問題点に着目してなされたもので、液圧制御を安定して行うことができるソレノイドバルブを提供することを目的とする。
【課題を解決するための手段】
【０００８】
前記課題を解決するために、本発明のソレノイドバルブは、
弁体を移動させる可動鉄心と、
前記可動鉄心の外周に配置されるソレノイド成形体と、
前記可動鉄心および前記ソレノイド成形体を収容する有底のソレノイドケースと、
内側の空間内に前記可動鉄心を収容する筒体と、を具備し、
被取付部材に水平方向に取付けられる液浸形のソレノイドバルブであって、
前記筒体の一端の内側かつ下方には、前記ソレノイドケースの底部の凸部が嵌り込み、堰が形成されていることを特徴としている。
この特徴によれば、筒体の一端の内側かつ下方に堰が設けられることにより、被取付部材内の液面低下時、もしくは液面が一時的に傾いても、可動鉄心の一端側に設けられる堰により筒体の内部の流体を堰き止めることができるため、筒体の内部における液面の低下を抑えて可動鉄心の作動性の変化を防ぎ、液圧制御を安定して行うことができる。また、ソレノイドケースの底部の凸部を筒体の一端の内側かつ下方に嵌り込むように形成すればよいため、筒体に複雑な溝や堰を構成するための部材等を用意する必要がなく、簡素な構成で堰を形成できる。
【０００９】
前記堰は、前記筒体の内周面と前記凸部の円弧状側面とが当接していることを特徴としている。
この特徴によれば、堰のシール性が良好となるため、筒体の内部における液面の低下を効果的に抑えることができる。
【００１０】
前記凸部は前記ソレノイドケースをプレス加工により半月状に形成されたものであることを特徴としている。
この特徴によれば、堰を構成する凸部を簡素な構造とすることができる。
【００１１】
前記ソレノイドケースの底部には、前記凸部よりも上方側において前記弁体とは反対方向に凹む凹部が形成されていることを特徴としている。
この特徴によれば、凹部内に流体を流入させることができるため、流体を多く保持することができる。
【００１２】
前記筒体の一端の上方側には径方向に連通する連通部が形成されていることを特徴としている。
この特徴によれば、筒体の内部の流体を連通部を通じて筒体の外部と呼吸させることができる。
【００１３】
前記ソレノイドケースは軸方向に見て底部側が中央側よりも小径の段部となっていることを特徴としている。
この特徴によれば、段部の側壁と筒体との間に流路を形成することができ、流路内に流体を流入させて可動鉄心の動作時に呼吸をさせることができる。
【００１４】
前記筒体は固定鉄心であって、板厚が周方向に薄く構成される薄肉部を有する筒状であり、
前記固定鉄心は軸方向において前記ソレノイドケースの底部とは離間していることを特徴としている。
この特徴によれば、固定鉄心の一端側の端面とソレノイドケースの底部の内面との間に隙間が形成されており、固定鉄心の内側にソレノイドケースの凸部を挿入して位置決めしたときに、前記隙間において固定鉄心の一端側の端面とソレノイドケースの底部の内面とが相対的に傾くことができるため、固定鉄心の一端側の端面またはソレノイドケースの底部に製造誤差があっても、固定鉄心とソレノイドケースとを精度よく組付けることができる。また、固定鉄心の薄肉部に影響を与え難い構造であるため、薄肉部の板厚を薄くすることができるとともに、固定鉄心とソレノイドケースの底部との間に流体を保持させることにより流体保持量を増やし、液圧制御を安定して行うことができる。
【図面の簡単な説明】
【００１５】
【図１】本発明の実施例１におけるソレノイドバルブのオフ状態を示す一部切欠断面図である。
【図２】センタポストの構造を示す斜視図である。
【図３】（ａ）は実施例１におけるソレノイド部を示す側断面図、（ｂ）はＡ−Ａ断面図である。
【図４】ソレノイドバルブのオン状態を示す一部切欠断面図である。
【図５】バルブハウジング内の油面が低下した状態におけるソレノイドバルブのオフ状態を示す一部切欠断面図である。
【図６】バルブハウジング内の油面が低下した状態におけるソレノイドバルブのオン状態を示す一部切欠断面図である。
【図７】（ａ）は本発明の実施例２におけるソレノイド部を示す側断面図、（ｂ）はＢ−Ｂ断面図である。
【図８】本発明の実施例３におけるソレノイド部を示す側断面図である。
【００１６】
本発明に係るソレノイドバルブを実施するための形態を実施例に基づいて以下に説明する。尚、図２、図４、図５に示すプランジャ４、ロッド５、スプール２２は断面ではなく側面図により示している。
【実施例１】
【００１７】
実施例１に係るソレノイドバルブにつき、図１から図６を参照して説明する。以下、図２の紙面左側をソレノイドバルブの軸方向一端側とし、図１の紙面右側をソレノイドバルブの軸方向他端側として説明する。
【００１８】
ソレノイドバルブ１は、スプールタイプのソレノイドバルブであって、例えば車両の自動変速機等の油圧により制御される装置に用いられるものである。尚、ソレノイドバルブ１は、図示しないバルブハウジング等の被取付部材に水平方向に取付けられ、バルブハウジング内の作動油Ｌ（液体）に浸漬される、いわゆる油浸形（液浸形）のソレノイドバルブとして使用される。尚、図１は、バルブハウジング内の作動油Ｌがソレノイドバルブ１全体を浸漬させる所定高さ位置に油面Ｌ１が維持された状態を示すものであり、ソレノイドバルブ１の内部の網掛け部分は、作動油Ｌを示すものである。
【００１９】
図１に示されるように、ソレノイドバルブ１は、流体の流量を調整するバルブ部２が電磁駆動部としてのソレノイド部３に一体に取付けられて構成されている。尚、図１は、ソレノイド成形体３１のコイル３４に通電されていないソレノイドバルブ１のオフ状態を示すものである。
【００２０】
図１に示されるように、バルブ部２は、外周に図示しないバルブハウジング内に設けられた流路と接続される図示しない入力ポートや出力ポート等の開口が設けられたスリーブ２１と、スリーブ２１の貫通孔２１ａに液密に収容され図示しない複数のランドを有するスプール２２（弁体）と、スプール２２を軸方向一端側に付勢する図示しないコイル状のスプリングと、スプリングを保持するリテーナ２３と、から構成されている。この構成はスプールバルブとして良く知られた構成であるため詳細な説明は省略する。尚、スリーブ２１、スプール２２、リテーナ２３は、アルミ、鉄、ステンレス、樹脂等の材料により形成されている。
【００２１】
また、スリーブ２１は、軸方向一端部に形成される開口部２１ｂ（開口）の径がスプール２２の径よりも大きく構成されることにより、スリーブ２１の内部における開口部２１ｂの内周面とスプール２２の外周面との間に環状の空間Ｓ１が形成されている。さらに、スリーブ２１の軸方向一端部には、下方側に径方向に貫通するドレンポートである呼吸孔２１ｃ（開口）が形成され、呼吸孔２１ｃは空間Ｓ１に連通されている。
【００２２】
ソレノイド部３は、鉄等の磁性を有する金属材料から形成されるソレノイドケース３０と、ソレノイドケース３０に収容されるソレノイド成形体３１と、ソレノイド成形体３１の内側に配置されるセンタポスト３２（筒体、固定鉄心）と、から主に構成されている。
【００２３】
ソレノイドケース３０は、ソレノイド成形体３１の外周を覆う円筒部３０ａと、円筒部３０ａよりも軸方向一端側に突出し円筒部３０ａよりも小径に形成される有底円筒形状の段部３０ｂと、から主に構成され、円筒部３０ａの中心軸と段部３０ｂの中心軸とは略一致する配置となっている。段部３０ｂは、円板状の底板３０ｍ（底部）と、底板３０ｍに直交して連なり軸方向に延びる円筒状の側板３０ｋと、から構成されており、側板３０ｋの径は、円筒部３０ａの径よりも小径となっている。
【００２４】
また、側板３０ｋと円筒部３０ａとは、該側板３０ｋ及び該円筒部３０ａに直交する環状の端板３０ｎにより連なっている。また、底板３０ｍには、軸方向他端側（センタポスト３２側）に突出する凸部３７が形成されている。尚、凸部３７については、後に詳述する。
【００２５】
また、ソレノイドケース３０の内部は、円筒部３０ａの内面により形成されソレノイド成形体３１を収容する第１収容筒部３０ｄと、第１収容筒部３０ｄの軸方向一端側において段部３０ｂの内面により形成されセンタポスト３２の円筒部３２ａの軸方向一端部が挿入される第２収容筒部３０ｅと、から構成され、第１収容筒部３０ｄの軸方向一端側には、径方向に上述した端板３０ｎが形成されている。
【００２６】
また、ソレノイドケース３０の内部には、第１収容筒部３０ｄおよび第２収容筒部３０ｅの内周面と、ソレノイド成形体３１およびセンタポスト３２の円筒部３２ａの外周面との間が径方向に離間することにより呼吸経路３３が形成されている。詳しくは、呼吸経路３３は、ソレノイドケース３０の円筒部３０ａの内周面とソレノイド成形体３１の外周面との間の部分３３ａと、ソレノイドケース３０の端板３０ｎとソレノイド成形体３１の軸方向一端側の端面との間の部分３３ｂと、側板３０ｋの内周面とセンタポスト３２の円筒部３２ａの外周面との間の部分３３ｃと、ソレノイドケース３０の底板３０ｍと円筒部３２ａの軸方向一端側の端面３２ｈとの間の部分３３ｄと、が互いに連通するように形成されている。
【００２７】
ソレノイド成形体３１は、コイル３４を樹脂３５によりモールド成形することにより形成され、ソレノイドケース３０の径方向下方側に設けられる開口部３０ｊから外部に延出しているコネクタ部３５ａのコネクタから制御電圧がコイル３４へ供給されるようになっている。尚、ソレノイドケース３０の開口部３０ｊの軸方向の寸法は、ソレノイド成形体３１のコネクタ部３５ａの軸方向の寸法よりも大きく構成されており、開口部３０ｊに挿通されるコネクタ部３５ａとの隙間を介してソレノイドケース３０の内部に形成される呼吸経路３３が外部と連通している。
【００２８】
図１および図２に示されるように、センタポスト３２は、フランジ付き円筒状に形成され、軸方向略中央に断面視等脚台形状の薄肉部３２ｂが形成される円筒部３２ａと、円筒部３２ａの軸方向他端部において径方向に延びるフランジ部３２ｃと、円筒部３２ａの径方向の中心にプランジャ４（可動鉄心）およびロッド５を収容可能な貫通孔３２ｄと、から主に構成されており、円筒部３２ａの軸方向一端側の開口には、前述した凸部３７が嵌り込むことで堰を形成している。尚、本発明の堰とは、その上方に空間を有する壁部のことであり、本実施例においては、凸部３７が堰であり、後述する凹部３８が堰の上方の空間である。
【００２９】
円筒部３２ａにおける軸方向一端の上方には、円筒部３２ａの軸方向一端側の端面３２ｈから軸方向に切欠かれた切欠部３２ｍ（連通部）が形成されている。後述するセンタポスト３２内の空間Ｓ２は、切欠部３２ｍを通じて呼吸経路３３（空間Ｓ２の外部）と連通している。
【００３０】
フランジ部３２ｃには、軸方向他端側の端面に軸方向一端側に凹む凹部３２ｊが設けられ、スリーブ２１の軸方向一端部が挿嵌された状態で取付け固定されている。また、フランジ部３２ｃには、ソレノイドケース３０の円筒部３０ａの軸方向他端部がカシメられ、センタポスト３２とソレノイドケース３０とが固定される。尚、ソレノイドバルブ１のオフ状態においては、凹部３２ｊの内径側にスリーブ２１に収容されるスプール２２の軸方向一端側の端面２２ａが当接することにより、スプール２２の軸方向一端側への移動が規制されている。
【００３１】
センタポスト３２内の空間Ｓ２を構成する貫通孔３２ｄは、軸方向一端側にプランジャ４が配置される第１収容部３２ｅと、第１収容部３２ｅの軸方向他端側において径方向の中心に小径に形成されロッド５が配置される第２収容部３２ｆと、から構成される段付き円筒状に構成されている。尚、第１収容部３２ｅの軸方向他端側には径方向に延びる環状面部３２ｇが形成されており、この環状面部３２ｇは内径側において第２収容部３２ｆの内面に直交して連なっている。環状面部３２ｇには、第１収容部３２ｅ内を軸方向移動するプランジャ４の軸方向他端面の接触時の衝撃からプランジャ４を保護するための環状の保護部材３６が取付けられている。
【００３２】
プランジャ４は、円柱状に形成され、その外周面が第１収容部３２ｅの内周面に案内されて軸方向に移動可能となっている。尚、プランジャ４の外周面と第１収容部３２ｅの内周面との間には、径方向に僅かなクリアランスが設けられており、プランジャ４は軸方向に円滑に移動できるようになっている。また、プランジャ４には、径方向の中心とは中心をずらした貫通孔４ａが設けられ、好ましくは、径方向の中心よりも上方側に軸方向に貫通する貫通孔４ａが設けられている。さらに、センタポスト３２内の空間Ｓ２は、プランジャ４の軸方向一端側（凸部３７側）の空間とプランジャ４の軸方向他端側（環状面部３２ｇ側）の空間とが貫通孔４ａにより連通して形成されている。
【００３３】
ロッド５は、プランジャ４と略同軸すなわち径方向の中心の延長線上に配置され、第２収容部３２ｆの内部を軸方向移動可能となっている。尚、ロッド５の外周面と第２収容部３２ｆの内周面との間には、径方向に僅かなクリアランスが設けられており、ロッド５は軸方向に円滑に移動できるようになっている。また、プランジャ４とロッド５とは、一体的に移動可能になっており、ロッド５の軸方向他端側（バルブ部２側）の先端はスプール２２の軸方向一端側（ソレノイド部３側）の端面２２ａに当接している。尚、ロッド５の軸方向他端側の先端とスプール２２の端面２２ａとは固定されていてもよい。
【００３４】
次いで、凸部３７の構造について説明する。図１および図３に示されるように、凸部３７は、ソレノイドケース３０の底板３０ｍをプレス加工により半月状に形成されたものであり、軸と直交する方向に略水平に延びる水平面３７ａと、水平面３７ａの下側に形成される円弧状の側面３７ｂと、を有している。また、凸部３７が形成されることにより、ソレノイドケース３０の底板３０ｍにおける凸部３７の上方には、軸方向一端側（スプール２２とは反対側）に相対的に凹む凹部３８が形成されている。
【００３５】
凸部３７の側面３７ｂは、円筒部３２ａの内周面と当接している。また、円筒部３２ａの軸方向一端側の端面３２ｈは、ソレノイドケース３０の底板３０ｍに対して離間して設けられている。
【００３６】
次いで、ソレノイドバルブ１の動作について説明する。図１に示されるソレノイドバルブ１のオフ状態において、コイル３４への通電によりソレノイドケース３０、センタポスト３２、プランジャ４により磁気回路を形成し、センタポスト３２の環状面部３２ｇとプランジャ４との間に磁力を発生させることにより、図４に示されるように、プランジャ４をセンタポスト３２の環状面部３２ｇ側に向けて軸方向他端側へ移動させることができる。尚、センタポスト３２は、円筒部３２ａの一部の板厚を周方向に薄くして磁気抵抗を大きくした薄肉部３２ｂが形成されていることにより、薄肉部３２ｂ周辺の磁束流路をプランジャ４側に偏らせてプランジャ４に作用する磁力を強くしている。
【００３７】
このとき、プランジャ４の駆動力を利用してロッド５を一体的に軸方向他端側へ移動させることにより、ロッド５の軸方向他端側の先端がスプール２２の軸方向一端側の端面２２ａを押し、スプール２２を図示しないスプリングの付勢力に抗して軸方向他端側に移動させることにより、スリーブ２１の図示しない入力ポートから出力ポートへ流れる制御流体の量を変化させることができる。
【００３８】
また、コイル３４への通電が遮断され、センタポスト３２の環状面部３２ｇとプランジャ４との間に発生していた磁力が相対的に弱まると、図１に示されるように、図示しないスプリングの付勢力によりスプール２２が軸方向一端側へ移動し、スプール２２の軸方向他端側の端面２２ａがセンタポスト３２の凹部３２ｊに当接しスプール２２の移動が規制され、プランジャ４およびロッド５が軸方向他端側（凸部３７側）の図１に示す所定の位置まで移動する。
【００３９】
これによれば、図１に示されるソレノイドバルブ１のオフ状態と図４に示されるソレノイドバルブ１のオン状態とが切替えられることにより、プランジャ４をセンタポスト３２の第１収容部３２ｅ（空間Ｓ２）内において軸方向に移動させることができる。このとき、センタポスト３２の第１収容部３２ｅの内部を満たしている作動油Ｌは、プランジャ４に設けられる貫通孔４ａを通してプランジャ４の軸方向一端側（凸部３７側）の空間とプランジャ４の軸方向他端側（環状面部３２ｇ側）の空間との間で移動している。
【００４０】
また、センタポスト３２の第１収容部３２ｅ内の作動油Ｌをロッド５側の呼吸経路を通してスリーブ２１の呼吸孔２１ｃおよび第１収容部３２ｅ（空間Ｓ２）側の呼吸経路３３を通してソレノイドケース３０の開口部３０ｊを介して外部と呼吸させることにより、プランジャ４の移動方向の作動油Ｌを排出して作動油Ｌによる抵抗を抑え、ソレノイドバルブ１のオン・オフの切換によるプランジャ４の移動を正確かつ迅速に行うことができる。
【００４１】
このような、ソレノイドバルブ１にあっては、図５および図６に示されるように、バルブハウジング内における作動油Ｌの油面が低下することがある（例えば油面Ｌ２の時、もしくは作動油Ｌの油面が一時的に傾いた時）。
【００４２】
本実施例１のソレノイドバルブ１は、センタポスト３２の円筒部３２ａの一端の内側かつ下方には、ソレノイドケース３０の底板３０ｍに形成された凸部３７が嵌り込み、堰を形成していることにより、作動油Ｌの油面低下時において、凸部３７によりセンタポスト３２内の空間Ｓ２（特に第１収容部３２ｅ）の作動油Ｌを堰き止めることができるようになっているため、センタポスト３２内の空間Ｓ２における油面の低下を抑えてプランジャ４の作動性の変化を防ぎ、油圧制御を安定して行うことができる。尚、センタポスト３２の第２収容部３２ｆの内周面とロッド５の外周面との間のクリアランスを介してセンタポスト３２内の空間Ｓ２からスリーブ２１内の空間Ｓ１側に流出する作動油は微量である。
【００４３】
また、ソレノイドケース３０の底板３０ｍの凸部３７を円筒部３２ａの一端の内側かつ下方に嵌り込むように形成すればよいため、例えば、円筒部３２ａに作動油Ｌを保持するための複雑な溝や堰を構成するための部材等を別途用意する必要がなく、簡素な構成で堰を形成できる。また、凸部３７はソレノイドケース３０の底板３０ｍをプレス加工により半月状に形成されたものであることから、堰を構成する凸部３７を簡単に形成することができる。
【００４４】
また、凸部３７の側面３７ｂと円筒部３２ａの内周面とが当接しており、凸部３７と円筒部３２ａとの間から作動油Ｌが流出することを防止でき、堰のシール性が良好となるため、空間Ｓ２における油面の低下を効果的に抑えることができる。
【００４５】
また、ソレノイドケース３０の底板３０ｍには、凸部３７よりも上方側においてスプール２２とは反対方向（軸方向一端側）に凹む凹部３８が形成されていることから、凹部３８内に空間Ｓ２内の作動油Ｌを流入させることができ、作動油Ｌの油面低下時において、作動油Ｌを多く保持することができる。
【００４６】
また、円筒部３２ａの一端の上方側には径方向に連通する切欠部３２ｍが形成されており、切欠部３２ｍは呼吸経路３３に連通している。これによれば、空間Ｓ２内の作動油Ｌを切欠部３２ｍを通じて呼吸経路３３に流出（オーバーフロー）させることができ、呼吸経路３３を通じてソレノイドケース３０の外部と呼吸させることができる。
【００４７】
例えば、バルブハウジング内における作動油Ｌの油面低下時にスリーブ２１の呼吸孔２１ｃを通してセンタポスト３２内の空間Ｓ２に空気が混入した作動油Ｌが吸い込まれた場合であっても、切欠部３２ｍを通してセンタポスト３２の外部（呼吸経路３３）に空気を排出することによりプランジャ４の軸方向一端側（凸部３７側）に回り込んだ空気がセンタポスト３２内の空間Ｓ２に滞留することを防ぐことができるため、プランジャ４の駆動を安定させることができる。尚、切欠部３２ｍは、径方向上方側に直線上に延びているため、センタポスト３２内の空間Ｓ２に混入した空気が切欠部３２ｍの途中で滞留することがなく、センタポスト３２の外部に空気を円滑に排出することができる。
【００４８】
また、切欠部３２ｍは、円筒部３２ａの径方向上方側に設けられているため、作動油Ｌの油面が低下しても切欠部３２ｍから作動油Ｌが流出し難くなり、作動油Ｌを好適に保持することができる。
【００４９】
また、ソレノイドケース３０は軸方向に見て底部側（軸方向一端側）が中央側よりも小径の段部３０ｂとなっている。具体的には、ソレノイドケース３０とセンタポスト３２とを組付けた状態において、ソレノイドケース３０の円筒部３０ａの内周面とソレノイド成形体３１の外周面との間の部分３３ａと、ソレノイドケース３０の端板３０ｎとソレノイド成形体３１の軸方向一端側の端面との間の部分３３ｂと、側板３０ｋの内周面とセンタポスト３２の円筒部３２ａの外周面との間の部分３３ｃと、ソレノイドケース３０の底板３０ｍと円筒部３２ａの軸方向一端側の端面３２ｈとの間の部分３３ｄと、が連続する呼吸経路３３が形成され、該呼吸経路３３に空間Ｓ２内の作動油Ｌを流入させてプランジャ４の動作時に呼吸をさせることができる。
【００５０】
また、センタポスト３２は、板厚が周方向に薄く構成される薄肉部３２ｂを有する筒状であり、軸方向においてソレノイドケース３０の底板３０ｍとは離間している。これによれば、センタポスト３２の一端側の端面３２ｈとソレノイドケース３０の底板３０ｍの内面との間に隙間が形成されており、センタポスト３２の円筒部３２ａの内側にソレノイドケース３０の凸部３７を挿入して位置決めしたときに、前記隙間においてセンタポスト３２の端面３２ｈとソレノイドケース３０の底板３０ｍの内面とが相対的に傾くことができるため、センタポスト３２の端面３２ｈとソレノイドケース３０の底板３０ｍに製造誤差があっても、センタポスト３２とソレノイドケース３０とを精度よく組付けることができる。
【００５１】
また、センタポスト３２の薄肉部３２ｂに影響を与え難い構造であり、薄肉部３２ｂの板厚を薄くすることができるため、プランジャ４に作用する磁力を強くできる。さらに、センタポスト３２とソレノイドケース３０の底板３０ｍとの間（呼吸経路３３の一部）に作動油Ｌを保持させることにより作動油Ｌの保持量を増やし、油圧制御を安定して行うことができる。
【００５２】
また、凸部３７は、円筒部３２ａ内に挿入されているだけであり、凸部３７が円筒部３２ａに対して着脱可能であるため、センタポスト３２の内部のメンテナンス性を高めることができる。
【００５３】
また、プランジャ４には、径方向の中心よりも上方側に軸方向に貫通する貫通孔４ａが設けられるため、バルブハウジング内における作動油Ｌの油面低下時において、センタポスト３２内の空間Ｓ２においてプランジャ４の貫通孔４ａを流通する流体の量を抑えることができるため、センタポスト３２内の空間Ｓ２における作動油Ｌの油面の低下を抑えることができる。
【００５４】
尚、本実施例１では、凸部３７の側面３７ｂと円筒部３２ａの内周面とが当接している形態を例示したが、空間Ｓ２の作動油Ｌが外部に流出することを抑制できればよいため、例えば、凸部３７の側面３７ｂと円筒部３２ａの内周面との間に僅かにクリアランスが形成されていてもよい。
【００５５】
また、本実施例１では、ソレノイドケース３０の底板３０ｍにおいて、プレス加工により凸部３７が形成されることにより、該凸部３７に比べ軸方向一端側に凹む凹部３８が形成される形態を例示したが、これに限られず、切削加工や鋳造により形成されていてもよい。
【実施例２】
【００５６】
次に、実施例２に係るソレノイドバルブにつき、図７を参照して説明する。尚、前記実施例に示される構成部分と同一構成部分については同一符号を付して重複する説明を省略する。
【００５７】
図７に示されるように、本実施例２における凸部３７２は、ソレノイドケース３０の底板３０ｍをプレス加工により軸方向視略円形状に形成されたものである。凸部３７２の外周面３７２ｂは、円筒部３２ａの内周面と周方向に亘って当接している。また、切欠部３２２ｍ（連通部）は、凸部３７２よりも軸方向他端側に延びて形成されており、センタポスト３２内の空間Ｓ２は、切欠部３２２ｍを通じて呼吸経路３３（空間Ｓ２の外部）と連通している。
【００５８】
これによれば、凸部３７２により円筒部３２ａの一端部側開口の略全領域が閉塞されるため、ソレノイドケース３０とセンタポスト３２とを安定的に固定することができるとともに、センタポスト３２の円筒部３２ａの一端部側の構造強度が向上する。また、空間Ｓ２内に作動油Ｌを切欠部３２２ｍを通じて呼吸経路３３に作動油Ｌを流出入させることができ、呼吸経路３３は、開口部３０ｊを介してソレノイドケース３０の外部と作動油Ｌを流出入させることができるため、プランジャ４の移動を円滑に行うことができる。
【実施例３】
【００５９】
次に、実施例３に係るソレノイドバルブにつき、図８を参照して説明する。尚、前記実施例に示される構成部分と同一構成部分については同一符号を付して重複する説明を省略する。
【００６０】
図８に示されるように、本実施例３におけるセンタポスト３２３は、円筒部３２３ａに実施例１及び実施例２の薄肉部３２ｂが形成されておらず、円筒部３２３ａの外周面は略面一となっている。また、円筒部３２３ａには、ソレノイドケース３０の凸部３７が内側下方に嵌り込んでいるとともに、底板３０ｍに円筒部３２３ａの端面３２３ｈが当接している。
【００６１】
このように、底板３０ｍを円筒部３２３ａの端面３２３ｈに当接させることができるため、ソレノイドケース３０とセンタポスト３２３とを強固に組付けることができる。
【００６２】
以上、本発明の実施例を図面により説明してきたが、具体的な構成はこれら実施例に限られるものではなく、本発明の要旨を逸脱しない範囲における変更や追加があっても本発明に含まれる。
【００６３】
例えば、前記実施例１〜３では、センタポスト３２（センタポスト３２３）の上方側に切欠部３２ｍ（切欠部３２２ｍ）が形成されている形態を例示したが、センタポスト３２の側方に切欠部３２ｍが形成されていてもよい。尚、連通部は、軸方向に切り欠かれた切欠部３２ｍに限られず、センタポスト３２を貫通する貫通孔などであってもよい。
【００６４】
また、前記実施例１〜３では、円筒部３０ａの径よりも小径の底板３０ｍと、底板３０ｍに直交して連なり軸方向に延びる円筒状の側板３０ｋと、から段部３０ｂが構成されており、段部３０ｂの内側に第２収容筒部３０ｅが形成されている形態を例示したが、ソレノイドケース３０の底部にセンタポスト３２の一端側の端部を挿入できる第２収容筒部３０ｅを有していれば、ソレノイドケース３０の底部における外形は自由に変更できる。
【００６５】
また、前記実施例では、プランジャ４を収容する筒体としてセンタポスト３２を用いる態様について説明したが、筒体はソレノイド成形体の内周空間により構成されるものであってもよい。
【符号の説明】
【００６６】
１                  ソレノイドバルブ
４                  プランジャ（可動鉄心）
２２                スプール（弁体）
３０                ソレノイドケース
３０ａ              円筒部
３０ｂ              段部
３０ｅ              第２収容筒部（段部）
３０ｍ              底板（底部）
３１                ソレノイド成形体
３２                センタポスト（筒体、固定鉄心）
３２ａ              円筒部
３２ｂ              薄肉部
３２ｈ              端面
３２ｍ              切欠部（連通部）
３３                呼吸経路
３６                保護部材
３７                凸部
３７ａ              水平面
３７ｂ              側面
３８                凹部
３２２ｍ            切欠部（連通部）
３２３              センタポスト（筒体、固定鉄心）
３２３ａ            円筒部
３２３ｈ            端面
３７２              凸部
３７２ｂ            外周面
Ｌ                  作動油
Ｌ１，Ｌ２          油面
Ｓ１，Ｓ２          空間
【図１】
2019152271.tif 000003
【図２】
2019152271.tif 000004
【図３】
2019152271.tif 000005
【図４】
2019152271.tif 000006
【図５】
2019152271.tif 000007
【図６】
2019152271.tif 000008
【図７】
2019152271.tif 000009
【図８】
2019152271.tif 000010